(57)【要約】      （修正有）【課題】特に不自由な人や障害者が使用しやすい回転式シャワールームを提供する。【解決手段】回転式シャワールームは、シャワーブース１０と、回転壁２０と、椅子３０と、シャワー装置４０を有し、シャワーブースは、一側に開口１２が形成され、回転壁は、シャワーブースの開口の内部に配置するように、シャワーブースに回転可能に取り付けられ、椅子は、回転壁に取り付けられ、シャワー装置は、シャワーブースに設置され、そのうち、回転壁をシャワーブースに対して回動させることにより、使用状態または移動状態に自由に切り替え、使用状態にすると、回転壁をシャワーブースに対して回転させることにより、椅子をシャワーブースの内部に位置させながら開口を閉じ、移動状態にすると、回転壁をシャワーブースに対して回転することにより、椅子をシャワーブースの外部に向かうように位置させ、障害者がシャワーブースに入って椅子に座ったまま回転壁の回転により移動状態または使用状態に切り替え、手軽に入浴することができる。【選択図】図１
0003218281.tif 000002
【実用新案登録請求の範囲】
【請求項１】
内部に内部空間が形成されると共に、一側に開口が形成される、シャワーブースと、
前記シャワーブースの開口の内部に配置するように、該シャワーブースに回転可能に取り付けられる、回転壁と、
前記回転壁に取り付けられる、椅子と、
前記シャワーブースに設置される、シャワー装置と、
前記回転壁をシャワーブースに対して回動させることにより、使用状態または移動状態に自由に切り替え、そのうち、使用状態にすると、該回転壁をシャワーブースに対して回転させることにより、椅子をシャワーブースの内部に位置させながら開口を閉じ、また、移動状態にすると、該回転壁をシャワーブースに対して回転することにより、椅子をシャワーブースの外部に向かうように位置させることを特徴とする回転式シャワールーム。
【請求項２】
前記シャワーブースの一側に、開口と横方向に連通する出入口が形成され、該出入口にドアが開閉可能に取り付けられることを特徴とする請求項１に記載の回転式シャワールーム。
【請求項３】
前記ドアが、出入口における、開口と反対する側に枢設されることを特徴とする請求項２に記載の回転式シャワールーム。
【請求項４】
前記回転壁は、囲み壁と、上板と、底板を備え、該上板が回転壁の上側に取り付けられ、該底板が回転壁の底側に取り付けられ、該囲み壁と上板と底板との間に収納空間が設けられ、前記椅子が収納空間に設置され、該回転壁を使用状態にすると、該囲み壁と上板と底板がシャワーブースの開口から出っ張ることを特徴とする請求項１乃至３の何れか１項に記載の回転式シャワールーム。
【請求項５】
前記囲み壁の平面視形状が円弧状であることを特徴とする請求項４に記載の回転式シャワールーム。
【請求項６】
前記回転壁を使用する時は、該回転壁をシャワーブースに対し回転させて、椅子をシャワーブースの内部に位置させるように開口を閉じ、該回転壁を１８０度回転させて移動状態に切り替えることを特徴とする請求項１乃至３の何れか１項に記載の回転式シャワールーム。
【請求項７】
前記椅子の高さが上下方向に調整自在であることを特徴とする請求項１乃至３の何れかの１項に記載の回転式シャワールーム。
【請求項８】
前記回転壁に取り付けられると共に、該回転壁の回動状態を制御してシャワーブースに対して回転させるスイッチを有することを特徴とする請求項１乃至３の何れかの１項に記載の回転式シャワールーム。
【請求項９】
前記回転壁に取り付けられると共に、該回転壁の回動状態を制御してシャワーブースに対して回転させるスイッチを有し、該スイッチは、椅子の高さを上下方向に調整自在であることを特徴とする請求項７に記載の回転式シャワールーム。
【請求項１０】
前記回転壁に少なくとも１つの持ち手が取り付けられることを特徴とする請求項１乃至３の何れか１項に記載の回転式シャワールーム。
【考案の詳細な説明】
【技術分野】
【０００１】
本考案は、特に体が不自由な人又は障害者が使用しやすいシャワールームに関するものである。
【背景技術】
【０００２】
体が不自由な人や障害者にとって日常生活には不便なことが沢山あり、また、近年ますます高齢化社会となり高齢者数が年々増え続けているので、入浴介助などを提供する必要が出てきた。
【考案の概要】
【考案が解決しようとする課題】
【０００３】
しかしながら、従来のシャワー設備は、体の不自由な人または障害者の需要に応じることができなく、使用し難いことから、家族や介護者の入浴支援により、障害者を支えたり横抱きして風呂に搬送しているが、通常は風呂場が狭くて一人分しかスペースがないので、二人同時に入るのは難しいことから、介護者の体力を消費してしまうと共に、障害者や介護者が周囲の物に衝突する恐れもあるため、使用上非常に不便であった。また、障害者がシャワーをする時は、介護者による衣服の着脱介助が必要となるが、個人的なプライバシーに配慮する必要があるため、ストレスを受けてしまう。
【課題を解決するための手段】
【０００４】
本考案に係る回転式シャワールームは、シャワーブースと、回転壁と、椅子と、シャワー装置を有し、前記シャワーブースは、内部に内部空間が形成されると共に、一側に開口が形成され、前記回転壁は、シャワーブースの開口の内部に配置するように、該シャワーブースに回転可能に取り付けられ、前記椅子は、回転壁に取り付けられ、前記シャワー装置は、シャワーブースに設置され、そのうち、前記回転壁をシャワーブースに対して回動させることにより、使用状態または移動状態に自由に切り替え、使用状態にすると、該回転壁をシャワーブースに対して回転させることにより、椅子をシャワーブースの内部に位置させながら開口を閉じ、また、移動状態にすると、該回転壁をシャワーブースに対して回転することにより、椅子をシャワーブースの外部に向かうように位置させる。
【考案の効果】
【０００５】
本考案に係る回転式シャワールームは、シャワーブースに対して回転可能な回転壁が設置されると共に、該回転壁に椅子が取り付けられることから、体の不自由な人や障害者がシャワーブースに入って椅子に座ったまま回転壁の回転により同時に回転し、その後、移動状態から使用状態に切り替え、該回転壁でシャワーブースの開口を閉じることから、使用者に安心な入浴空間を提供することができる。使用者がシャワーを終えた後は、回転壁を椅子がシャワーブースの外部に面するように再度回転させるだけでよいことから、体の不自由な人又は障害者が、家族や介護者の介助を必要とせずに、手軽に入浴することができるので、使用上非常に便利である。
【図面の簡単な説明】
【０００６】
【図１】本考案に係る回転式シャワールームの正面視説明図である。
【図２】本考案に係る回転式シャワールームの後面視説明図である。
【図３】本考案に係る回転式シャワールームの側面視説明図である。
【図４】本考案に係る回転式シャワールームの操作状態を示す平面視動作図である。
【図５】本考案に係る回転式シャワールームの操作状態を示す平面視動作図である。
【図６】本考案に係る回転式シャワールームの操作状態を示す平面視動作図である。
【考案を実施するための形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１及び図２に示すように、本考案に係る回転式シャワールームは、シャワーブース１０と、回転壁２０と、椅子３０と、シャワー装置４０を有する。
【０００９】
前記シャワーブース１０の内部に内部空間１１が形成され、一側に開口１２が形成される。尚、本実施例におけるシャワーブース１０の一側には、開口１２と横方向に連通する出入口１３が形成され、家族や介護者が該出入口１３を通ってシャワーブース１０に出入りすることができる。すなわち、該出入口１３と開口１２との間に障害物は有しなく、また、該出入口１３は、幅広に設置したり、開口１２と連通しないように設置してもよいが、それに制限されない。
【００１０】
前記シャワーブース１０は、固定式のトイレに壁を作って所定の空間を区画して構成してもよく、本実施例に示したような、移動式のシャワーブース１０に制限されるものではない。また、本実施例におけるシャワーブース１０はさらに、ドア５０を有し、該ドア５０は、出入口１３における、開口１２と反対する一側に枢設され、出入口１３を閉めることができるが、ドアのタイプに制限されなく、開きドアであってもよく、他のタイプのドアであってもよい。
【００１１】
図１乃至図３に示すように、前記回転壁２０は、シャワーブース１０の開口１２に回転可能に取り付けられる。
【００１２】
前記椅子３０は、回転壁２０に取り付けられ、該回転壁２０が回転すると、椅子３０も回転壁２０と同時に回転する。尚、本実施例においては、回転壁２０がシャワーブース１０に回転可能に取り付けられ、主に使用状態及び移動状態を有し、その内、使用状態においては、該回転壁２０がシャワーブース１０に対して回転して開口１２を閉じ、この時、椅子３０はシャワーブース１０の内部に位置している。例えば、使用者が椅子３０に座って使用するときは、椅子３０を回転させて使用者をシャワーブース１０の内部空間１１に面するように移動させると共に、回転壁２０を回転させて開口１２を閉じて内部空間１１を密封すれば、使用状態にすることができる。
【００１３】
図２乃至図４に示すように、前記回転壁２０が移動状態のときは、椅子３０を回転させてシャワーブース１０の外部に面するように位置させることができる。尚、本実施例において、回転壁２０を使用状態にすると、該回転壁２０がシャワーブース１０に対して回転して開口１２を閉じ、この時、椅子３０をシャワーブース１０の内部に位置させることができる。例えば、使用者がシャワーブース１０の外部に面する状態で椅子３０に座り、回転壁２０を１８０度回転させれば、使用状態とすることができる。また、本実施例における椅子３０は、一方向に１８０度回動可能であると共に、椅子３０の高さを上下方向に調整することもできるが、この調整の仕方に制限はなく、つまり、他の調整方式を用いて、椅子３０を３６０度回転させることにより、移動状態から使用状態に切り替えてまた移動状態に戻すこともできる。
【００１４】
図１乃至図４に示すように、本実施例における回転壁２０は、囲み壁２１と、上板２２と、底板２３を備え、該上板２２は、回転壁２０の上側に取り付けられ、該底板２３は、回転壁２０の底側に取り付けられ、該囲み壁２１と上板２２と底板２３との間に収納空間２４が構成され、前記椅子３０は、収納空間２４に設置され、該収納空間２４は、コの字型
の構造であることから、移動状態においては、コの字型の開口がシャワーブース１０の外部に面し、使用状態においては、コの字型の開口が内部空間１１の内部に面する。
【００１５】
図２と図３と図６に示すように、前記回転壁２０を使用状態にする場合は、該囲み壁２１と上板２２と底板２３を、シャワーブース１０の開口１２から出っ張らせる。尚、本実施例における囲み壁２１の平面視の形状は、円弧状であるが、この形状に制限はなく、矩形であってもよい。また、本実施例における囲み壁２１は、ガラスなどの透明材質からなるが、これにも制限はない。更に、前記椅子３０は、収納空間２４の底板２３に取り付けられ、前記回転壁２０に少なくとも１つの持ち手７０が取り付けられる。一方、他の実施例における回転壁２０は、上板２２及び底板２３を有しない壁であり、この壁を回転ドアとして取り付け、回転させることにより、使用者の位置を移動状態または使用状態に切り替える。
【００１６】
図１及び図２に示すように、本考案に係る回転式シャワールームは、スイッチ６０を有し、該スイッチ６０は、回転壁２０に取り付けられ、モータなどの動力設備と電気接続することにより、該回転壁２０の回動状態を制御すると共に、椅子３０の高さも調整することができる。一方、他の実施例では、２つのスイッチ６０を設置してもよく、一方のスイッチ６０により回転壁２０の回動を制御し、他方のスイッチ６０により椅子３０の高さを制御する。尚、本実施例における２つのスイッチ６０は、シャワーブース１０及び回転壁２０に取り付けられるが、これに制限はなく、操作しやすい箇所に設置すればよい。また、スイッチ６０を有しなくてもよく、手動で回転壁２０を回転させたり、椅子３０の高さを調整したりしてもよい。
【００１７】
前記シャワー装置４０は、シャワーブース１０の内部に設置され、ハンドシャワーまたはシャワーアームなどのシャワーヘッドである。
【００１８】
図４乃至図６に示すように、本考案に係る回転式シャワールームを使用する時は、まず移動状態にし、使用者が椅子３０に座ってから回転壁２０を回転させて、移動状態から使用状態に切り替える。この構成によれば、回転壁２０がシャワーブース１０の開口１２を閉じながら、椅子３０をシャワーブース１０の内部に面するように回転させることから、使用者が内部空間１１の内部に位置するので、使用状態となる。そして、使用者がシャワーを終えると、回転壁２０を逆方向に回転させれば移動状態となり、使用者が椅子３０に座ったまま回動して、シャワールームから出られることから、余計な移動や面倒な搬送は必要はないので、使用上非常に便利である。
【００１９】
前記ドア５０を有すれば、使用者がシャワーブース１０に出入りしやすくなり、シャワーブース１０も簡単に閉めることができる。また、回転壁２０を回転させる時、背の高い人は、足がドア５０にぶつかる恐れがあるため、ドア５０を開けたまま使用者を回転させ、完全に使用状態に切り替わった時に、ドア５０が閉まるようにする。この操作方法によれば、使用者の座ったスペースを広くすることから、ドア５０及び出入口１３を幅狭く設置する必要もない。一方、他の実施例では、ドア５０を設置しなくてもよく、ドア５０を設置して出入りする機能を提供してもよく、使用者の足が周囲の物に衝突することはなく、所定の収納空間２４を保持してスムーズに回動できればよい。
【００２０】
このように、上述した操作方法においては、使用者がスイッチ６０を用いて椅子３０の高さ及び回転壁２０の回動を調整することができるので、手動で調整する必要はなく、さらに、移動状態から使用状態に切り替える場合は、使用者が回転壁２０にある持ち手７０を持てば、椅子３０を回動する時の安全性も向上する。
【符号の説明】
【００２１】
１０    シャワーブース
１１    内部空間
１２    開口
１３    出入口
２０    回転壁
２１    囲み壁
２２    上板
２３    底板
２４    収納空間
３０    椅子
４０    シャワー装置
５０    ドア
６０    スイッチ
７０    持ち手  
【図１】
0003218281.tif 000003
【図２】
0003218281.tif 000004
【図３】
0003218281.tif 000005
【図４】
0003218281.tif 000006
【図５】
0003218281.tif 000007
【図６】
0003218281.tif 000008